(57)【要約】【課題】傾斜板の立ち上がり長さを任意の寸法に調整することができ、単一の種類で奥行きの異なる種々の構築物への取り付けに対応することができると共に、構築物への取り付け場所に制約が生じないような鳥類の飛来防止具を提供する。【解決手段】取付板２の前縁にこの取付板２の上側に向けて所定の角度で立ち上がる傾斜板３を設け、傾斜板３の上端部側縁に下方に折り曲げ形成された取付片９を設けた本体４と、取付板２と傾斜板３との内角側の両端部を着脱自在に閉鎖し、上縁が傾斜板３の延長線上に延びた側面プレート５と、側部を下方に折り曲げて側片７を設け、傾斜板３の上面と側面プレート５の上縁に被さり傾斜板３の延長状にスライド可能な延長板６とからなり、傾斜板３の取付片９と延長板６の側片７とが延長板６の任意の位置で固定できるようにした鳥類の飛来防止具１。【選択図】　　　図３
2004016068.tif 000002
【特許請求の範囲】
【請求項１】
取付板の前縁にこの取付板の上側に向けて所定の角度で立ち上がる傾斜板を設け、傾斜板の上端部側縁に下方に折り曲げ形成された取付片を設けた本体と、取付板と傾斜板との内角側の両端部を着脱自在に閉鎖し、上縁が傾斜板の延長線上に延びた側面プレートと、側部を下方に折り曲げて側片を設け、傾斜板の上面と側面プレートの上縁に被さり傾斜板の延長状にスライド可能な延長板とからなり、傾斜板の取付片と延長板の側片とが延長板の任意の位置で固定できるようにしたことを特徴とする鳥類の飛来防止具。
【請求項２】
前記本体の取付片に取付孔を設け、前記延長板の側片に延長板の任意のスライド位置で前記取付孔に一致するような長孔を設け、取付孔と長孔とを締結具で固定するようにしたことを特徴とする鳥類の飛来防止具。
【発明の詳細な説明】
【０００１】
【発明の属する技術分野】
この発明は、鳥類の営巣や排泄物等による公害を防ぐための鳥類の飛来防止具に関する。
【０００２】
【従来の技術】
近年、動物の保護や環境の変化から、鳩をはじめとする各種鳥類が、人家や駅、公共施設、工場等の各種構築物の屋根等に営巣したり飛来することが多くなっている。
【０００３】
屋根等に各種鳥類が営巣したり飛来すると、鳥類の排泄物が大量に落下することになり、当然こうした構築物のある場所は人の往来があるため、上記排泄物が下を通る人に付着して衣服や髪を汚染するという被害が発生する。
【０００４】
このような被害の発生を防ぐための従来の手段として、一般によく知られている、図柄や光の反射で鳥類を近づけないようにする威嚇具や、鳥類の嫌がる臭いで近づけないようにするものは、何れも、鳥類が慣れることで経時的に効果がなくなり、構築物の美観を損ねたり、落下等の危険を伴うものである。
【０００５】
また、構築物の鳥類が営巣したり飛来しやすい部分に直接取り付けることで、鳥類が止まったり営巣することができないようにする飛来防止具が、例えば、特開平６−２８４８４８号や実開昭６４−９５８０号等によって提案されている。
【０００６】
これらの飛来防止具は、一枚の金属板を用い、帯状となる取付板の前縁にこの取付板の上側に向けて所定の角度で立ち上がる傾斜板を折り曲げ連成したものを基本構造とし、傾斜板で鳥類が滑ることにより鳥類が止まったり営巣するのを防ぐものであり、構築物への取り付け手段として、前者のものは、傾斜板の下縁の位置に設けたコ字状スリット間を引き起こして開口を形成し、この開口部分で取付板と構築物をＵクリップで挟んで固定するようになっている。
【０００７】
後者の取り付け手段は、取付板の下面で先端部に構築物の張り出し部分へ外骸固定するグリップ部を設けている。
【０００８】
【発明が解決しようとする課題】
ところで、上記のような飛来防止具は、傾斜板の立ち上がり長さが決まっているので、構築部の前縁から後方の垂直面の間に距離があると、傾斜板と垂直面の間に隙間ができ、この隙間から飛来防止具の裏面空間に鳥類が侵入して営巣することになり、このため、構築物への取り付けに際して、使用できる条件に制約が生じることになり、これを回避するには、傾斜板の立ち上がり長さの異なるものを複数用意しなければならないという問題がある。
【０００９】
また、飛来防止具は、取付板と傾斜板の背面側は空間となり、その両端部が開放されているので、構築物の条件によっては、飛来防止具の端部がそのまま開放状態となり、端部の開放部分から飛来防止具の背面空間に鳥類が侵入して営巣することになる。
【００１０】
更に、構築物への取り付け手段として採用されている、Ｕクリップやグリップ部は、型鋼のフランジ部分のような張り出した部分にしか固定することができず、取り付け場所が制約されることになる。
【００１１】
そこで、この発明の課題は、傾斜板の立ち上がり長さを、取り付け場所の条件に合わせて任意の寸法に調節でき、単一の種類で異なる構築物への取り付けに対応することができると共に、両端を閉鎖することによって背面空間への鳥類の侵入を防ぐことができ、しかも、構築物への取り付け場所に制約が生じない鳥類の飛来防止具を提供することにある。
【００１２】
【課題を解決するための手段】
上記のような課題を解決するため、この発明は、取付板の前縁にこの取付板の上側に向けて所定の角度で立ち上がる傾斜板を設け、傾斜板の上端部側縁に下方に折り曲げ形成された取付片を設けた本体と、取付板と傾斜板との内角側の両端部を着脱自在に閉鎖し、上縁が傾斜板の延長線上に延びた側面プレートと、側部を下方に折り曲げて側片を設け、傾斜板の上面と側面プレートの上縁に被さり傾斜板の延長状にスライド可能な延長板とからなり、傾斜板の取付片と延長板の側片とが延長板の任意の位置で固定できるようにした構成を採用したものである。
【００１３】
前記本体の取付片に取付孔を設け、前記延長板の側片に延長板の任意のスライド位置で前記取付孔に一致するような長孔を設け、取付孔と長孔とを締結具で固定するようにすることもできる。
【００１４】
上記本体を構成する取付板と傾斜板は、例えば一枚の金属板から折り曲げ形成され、傾斜板の上端部側縁には側面プレートや延長板を取り付けるために下方に折り曲げ形成された取付片が設けられている。
【００１５】
傾斜板は、その上面に鳩等の鳥類が降り立った際、その鳥類が滑り落ちるような角度（例えば４５°以上）を持った勾配を有し、また、その表面は鳥類が脚の爪で滑り止めを行えないよう、凹凸が無い平坦状であることが好ましい。
【００１６】
取付板は、構築物の張り出し部分に取付固定する役目を有し、例えば下面の所要部分にゴムクッションが接着剤で貼り付けられ、このゴムクッションにコーキング材を塗布した後、構築物にゴムクッションを介して接着やねじ止めの手段によって固定されることになり、また、この取付板には、複数の風抜き兼水抜き孔が設けてある。
【００１７】
また、側面プレートは、本体の側面の取付板と傾斜板との内角側の両端部を閉鎖し、更に上縁が傾斜板の延長線上に延びた形状となっており、本体との取付は、締結具として例えばネジ等を用い、本体の取付片のネジ孔（取付孔）を利用して、ネジをねじ込むこと等により固定化するようになっている。
【００１８】
更に、延長板は、傾斜板と同じく鳥類が滑り落ちるようにする役目を有し、傾斜板と同様な材質や表面からなり、傾斜板と略同程度の幅を有しており、側部を下方に折り曲げて側片を設け、両端部に側面プレートを固定した状態の本体の上に被さり、側片が傾斜板の側縁や側面プレートの外面に接して左右の動きを規制しながら延長板の下面は本体の傾斜板の上面及び側面プレートの上縁部と摺接しつつ傾斜板の延長状にスライドするようになっており、任意にスライドさせた部分で傾斜板の取付片とこの延長板の側片との重なり部分を例えば取付片に設けた取付孔と側片に延長板のスライド方向に延びた長孔とをネジ止めする等の方法により固定化するようにしている。
【００１９】
【発明の実施の形態】
以下、この発明の実施の形態を図示例と共に説明する。
【００２０】
図示のように、この発明の鳥類の飛来防止具１は、帯状となる取付板２の前縁に取付板２の上側に向けて所定の角度で立ち上がる傾斜板３を設けて所定の長さに形成した防止具本体４と、上記防止具本体４の両端部を閉鎖するための別途用意された側面プレート５と、前記防止具本体４の傾斜板３の上面及びこの防止具本体４に取り付けられた側面プレート５の上縁部に沿って傾斜板３の延長状にスライド可能とした別途用意された延長板６とからなり、上記延長板６の両端には下方に折り曲げ形成された側片７が設けられており、この側片７には延長板６の側縁部に沿って延びる長孔８が設けられている。
【００２１】
上記取付板２と傾斜板３は、一枚の金属板から折り曲げ形成され、取付板２に対して傾斜板３は４５°以上の角度で折れ曲がり、傾斜板３の上部両端部には側面プレート５及び延長板６の取り付け部分となる取付片９が下方へ直角に屈曲して設けられ、取付板２の両端部には、側面プレート５の取り付け部分となる下部取付片１０が上方へ直角に屈曲して設けられており、取付片９及び下部取付片１０には、それぞれネジが切られた取付孔１１，１２が設けられている。
【００２２】
前記延長板６は折り曲げ可能な金属板を用い、傾斜板３と略等しい長さで、傾斜板の立ち上がり方向の幅と略同程度の幅を有し、両端部に側面プレート５を固定した状態の防止具本体４の上に被さり、側片７が側面プレート５の外面に接して左右の動きを規制しながら延長板６の下面は傾斜板３の上面及び側面プレート５の上縁部と摺接しつつ傾斜板３の延長状にスライドし、任意にスライドさせた部分で傾斜板３の取付片９に設けた取付孔１１と側片７に設けた延長板６のスライド方向に延びる長孔８とをネジ止めする等の方法により、図３又は図４に示すように延長板６を任意のスライド位置で固定化するようにしている。
【００２３】
なお、傾斜板３の上端部は下方垂直方向まで折り曲げられて補強片１３とし、延長板６の上端部は上方垂直方向に折り曲げられ補強片１４となっている。
【００２４】
また、取付板２の下面両端部付近に、ゴムクッション１５が接着剤で貼り付けられ、このゴムクッション１５にコーキング材を塗布した後、構造物Ａにゴムクッション１５を介して接着やねじ止めの手段によって固定されることになり、この取付板２とゴムクッション１５には、ねじ止め用の取付孔１６や風抜き及び水抜き孔１７が設けてある。
【００２５】
側面プレート５は、延長板６を傾斜板３の延長状に取付けたときに用いるものであり、防止具本体４の両端部から延長板６の下部空間を閉鎖できる大きさと形状の金属板を用いて形成され、取付片９及び下部取付片１０への重なり部分に貫通孔１８、１９が設けられ、これら貫通孔１８、１９はそれぞれ取付片９及び下部取付片１０の取付孔１１、１２と対応する。
【００２６】
また、側面プレート５の上縁部は、防止具本体１に取り付けた際、傾斜板３の上面に沿い、更にこの傾斜板３の上面の延長線上に後方に延びた形状となっている。
【００２７】
延長板６の取付手段としては、側面プレート５の貫通孔１８，１９を防止具本体４の取付片９及び下部取付片１０の取付孔１１，１２と合わせ、先ず、貫通孔１９と取付孔１２とをネジ２０を用いて固定する。
【００２８】
次に、側面プレート５を両端に取り付けた防止具本体４の傾斜板３の上面に延長板６を重ね、延長板６を傾斜板３の延長状になるようにしてスライドさせ、所望の位置で側片７の長孔８と側面プレート５の貫通孔１８とにネジを通し、取付片９の取付孔１１にネジ込むことにより、取付片９の位置で防止具本体４、側面プレート５及び延長板６を固定化する。
【００２９】
なお、以上説明したこれらの飛来防止具１の寸法等は特に限定されるものではないが、鳥類が止まりやすい構築物の張り出し部分の寸法に合わせておけば良く、防止具本体４のみで奥行き５ｃｍ〜１０ｃｍ程度、延長板６を取り付けた際の最大奥行き寸法で１０ｃｍ〜２０ｃｍ程度が好ましく、幅方向については５０ｃｍ〜数ｍの間で適宜各寸法のものを用意しておけば良い。
【００３０】
この発明の鳥類の飛来防止具は、上記のような構成であり、次にその使用方法を説明する。
【００３１】
構築物Ａにおいて、鳥類の止まる張り出し部分の垂直部Ｂまでの奥行きが防止具本体４の奥行きと同程度の場合で、約５ｃｍ〜１０ｃｍ位となる狭い場合は、図２のように、側面プレート５や延長板６を用いることなしに、取付板２の下面に貼り付けたゴムクッション１５にコーキング材を塗布した後、防止具本体４を構築物Ａの鳥類が止まる張り出し部分に載置し、ゴムクッション１５を構造物に重ね、取付板２を構築物Ａに対してねじ止めや接着によって固定する。
【００３２】
上記のような固定状態で、構築物Ａの鳥類が止まろうとする部分の上面が、傾斜板３によって鳥類は滑り落ちることになるので、構築物Ａの鳥類が止まる部分に鳥類が営巣したり飛来することがなくなる。
【００３３】
また、取付板２と傾斜板３とが一体成形された防止具本体４のみが固定されるので、強風を受けても部品ががたつくようなことがないと共に、防止具本体４の取付板２と傾斜板３の奥行きが短いので、防止具本体４の両端部の開放面は小さく、防止具本体４の背面空間に鳩のような鳥類の侵入は生じない。
【００３４】
次に、構築物Ａにおいて、鳥類の止まる張り出し部分の垂直部Ｂまでの奥行きが防止具本体４のみでは張り出し部分を完全に覆えない程度の場合で、約１０ｃｍ〜１５ｃｍ位となる場合は、図３（Ａ）に示すように、防止具本体４の両側面に側面プレート５をネジ２０を用いて下部取付片１０に取り付け、更に延長板６を傾斜板３の上面に覆い被さるようにして被せてそのまま傾斜板３の延長線上を後方にスライドさせ、取付板２と傾斜板３の交点となる前縁と延長板６の補強片１４との水平方向の距離が張り出し部分の奥行き程度に達する位置にし、この状態で図３（Ｂ）に示すように長孔８と貫通孔１８とにネジ２１を通し、取付孔１１にねじ込むことにより、延長板６の側片７と側面プレート５の上部とを防止具本体４の取付片９に固定化し、延長板６の延長状態を保持する。
【００３５】
このようにした飛来防止具１を、上述したと同様に構築物Ａの鳥類が止まる部分に固定すれば、構築物Ａの鳥類が止まる部分の上面が、傾斜板３とその延長となる延長板６の傾斜面によって覆われ、この傾斜面によって鳥類は滑り落ちることになるので、構築物Ａの鳥類が止まる部分に鳥類が営巣したり飛来することがなくなると共に、飛来防止具１の両端が側面プレート５で閉鎖され、防止具本体４の背面空間に対する鳥類の侵入を防止することになる。
【００３６】
また、延長板６は、その下面の一部が傾斜板３の上面と重なり、傾斜板３と重ならない部分は側面プレート５の上縁部に支えられた状態で固定されているので、強風を受けてもがたつくようなことが無い。
【００３７】
なお、延長板６の後端部の補強片１４は、延長板６を補強し、強風でも延長板６が曲がったりしないようにすると共に、上に曲げられていることで雨水等が背面に流れ込まないような水切りの役目をしている。
【００３８】
図４は、構造物Ａの鳥類が止まる張り出し部分の垂直部Ｂまでの奥行きが１５ｃｍ〜２０ｃｍ程度と広い場合であって、延長板６を最大限に延ばした状態を示すものであり、防止具本体４の両側面に側面プレート５をネジ２０を用いて下部取付片１０に取り付け、更に延長板６を傾斜板３の上面に覆い被さるようにして被せてそのまま傾斜板３の延長線上を後方にスライドさせ、延長板６の長孔８の最下端が側面プレート５の貫通孔１８及び取付片９の取付孔１１と合致する位置にし、この状態で長孔８と貫通孔１８とにネジ２１を通し、取付孔１１にねじ込むことにより、延長板６の側片７と側面プレート５の上部とを防止具本体４の取付片９に固定化し、延長板６の最大延長状態を保持する。
【００３９】
なお、この延長板６を最大に延ばした実施形態の場合、側面プレート５の後端と垂直部Ｂとの隙間が開かないように図示のような側面プレート５に大型のものを用いても良く、その場合、側面プレート５の上部後端部に延長板６の長孔８と一致する適宜な位置にねじ切りを行った取付孔を設けて、この部分を長孔８と共にネジ２２によりねじ止めして、より強固に延長板６を固定化するようにしても良い。
【００４０】
しかし、側面プレート５の後端と垂直部Ｂとの隙間は完全に封鎖しなくとも、鳩等の鳥類が入り込まない程度の隙間しか生じなければ、図３（Ａ）で示した程度の大きさの側面プレート５を用いても良い。
【００４１】
また、延長板６の延長程度が短く、防止具本体４と延長板６とで形成される飛来防止具１の両端部が小さくて、その間に鳩のような鳥類が侵入できない場合は、側面プレート５を用いずに、直接延長板６の長孔８と取付片９の取付孔１１を直接ネジ２１によりねじ止めして固定するようにしても良い。
【００４２】
上記実施形態では飛来防止具１の防止具本体４、側面プレート５、及び延長板６の固定をネジ２０，２１を用いて、ネジを切った取付孔１１，１２にねじ込むことにより行ったが、この発明はこれらの固定方法に限定されるものではなく、例えば、取付孔１１，１２を貫通孔とし、蝶螺子で両側から締め込んで固定するような構造としても良く、また取付孔１１，１２は強度が確保できるのであれば図示のように必ずしも２つである必要はなく１つづつであっても良い。
【００４３】
また、以上述べた実施形態では、傾斜板を含む防止具本体や延長板を金属製としたが、この発明はこれらの材料に限定されるものではなく、要するに鳥類が滑り落ちるような材質であれば他の材料を用いることもできる。
【００４４】
更に、図示の場合、延長板６の固定を、傾斜板３の上端部側縁に設けた取付片９の取付孔１１と延長板６側の側片７に長孔８を用いて行ったが、逆に、傾斜板３の側縁に設けた取付片に傾斜板の側縁に沿う長孔を設け、延長板６の下端部側縁の位置で側片に取付孔を設けて、傾斜板３側の長孔の任意の位置で延長板６の取付孔と共にネジ等で締め付けることで、延長板６の延長位置を調整するようにしても良い。
【００４５】
【発明の効果】
以上のように、この発明によると、取付板の前縁にこの取付板の上側に向けて所定の角度で立ち上がる傾斜板を設けて防止具本体を形成し、上記傾斜板の上端部側縁に下方に折り曲げ形成された取付片を設け、この取付片の部分で両端部に側面プレートを固定し、更に傾斜板の延長状となる延長板を任意の延長寸法で固定できるようにしたので、構築物の鳥類が止まる部分の奥行きによって、延長板を取り付けずに防止具本体のみを取り付けたり、延長板の延長寸法を調整して取り付けることで、種々の寸法の張り出し部分を傾斜板と延長板の傾斜面で覆うことができ、この傾斜面で鳥類が滑ることで鳥類が営巣したり飛来することがなくなると共に、単一の種類で奥行きの条件が異なる構築物への取り付けに対応することができることになる。
【００４６】
また、延長板を設けた際、延長板は傾斜板の上面に重ねて設けられているので、上方の延長板から滑り落ちた鳥類が延長板と傾斜板との境目で滑り止めとなることがないと共に、延長板を設けたことで広がった飛来防止具の両端部の開口部が側面プレートで閉鎖されているので、防止具本体の背面側空間への鳥類の侵入を防ぐことができる。
【００４７】
更に、延長板を取り付けた際も、延長板は傾斜板の延長線上に任意の寸法だけ突出させることができるので、特に空間の上下方向の寸法が狭い張り出し部であっても、延長板の上端部を構築物の天井部分に当てた状態で使用することができるという利点がある。
【図面の簡単な説明】
【図１】この発明に係る鳥類の飛来防止具の背面側から見た分解斜視図
【図２】同上における鳥類の飛来防止具の防止具本体のみを奥行きの浅い構築物に取り付けた状態の縦断側面図
【図３】（Ａ）は同上における鳥類の飛来防止具を奥行きの深い構築物に取り付けた状態の縦断側面図、（Ｂ）は（Ａ）の矢印ｂ−ｂに沿う断面図
【図４】同上における鳥類の飛来防止具の延長板が最大に延びた状態の縦断側面図
【符号の説明】
１　　　　　　　　飛来防止具
２　　　　　　　　取付板
３　　　　　　　　　傾斜板
４　　　　　　　　防止具本体
５　　　　　　　　側面プレート
６　　　　　　　　延長板
７　　　　　　　　側片
８　　　　　　　　長孔
９　　　　　　　　取付片
１０　　　　　　　下部取付片
１１，１２　　　　取付孔
１３，１４　　　　補強片
１５　　　　　　　ゴムクッション
１６　　　　　　　取付孔
１７　　　　　　　水抜き孔
１８，１９　　　　貫通孔
２０，２１，２２　ネジ
【図１】
2004016068.tif 000003
【図２】
2004016068.tif 000004
【図３】
2004016068.tif 000005
【図４】
2004016068.tif 000006